(57)【要約】  蝶番ピン（２）により共に連結された二つのアームを含むペンチ。二つのアームの一方（２０）は、隆起（Ｐ）を含み、隆起上には、一方のアームの開口(Ｏ２）を介して延在する側箱形開口（６）が形成され、側箱形開口（６）は箱形内開口（５１）を有するプッシャ（５）を収容し、プッシャ（５）と雌アーム（２０）間で作用するバネ（４）が箱形内開口内に設置されている。蝶番ピン（２）は、側箱形開口の領域においてプッシャ（５）にネジ止めされ、蝶番ピン（２）とプッシャ（５）間に同軸に設置され機械的に連結された歯付き歯止め（１）を含む。プッシャ（５）は、作業位置で第二開口（Ｏ２）の壁上に位置決めされる延長部（５２）に連結されている。手動工具に利用できる。【選択図】図３
2009532219.tif 000002
【特許請求の範囲】
【請求項１】
蝶番ピン（２）により共に連結された二つのアームである、雄アーム（１０）および雌アーム（２０）を含み、前記雌アーム（２０）が前記雄アーム（１０）のアーモンド形窓（Ｖ）内に漸次的に調節されてペンチの顎部の寸法を変え、前記雌アーム（２０）内に第一開口（Ｏ１）および第二開口（Ｏ２）が同軸に形成され、蝶番ピン（２）が第一および第二開口に取付けられ、かつ作業位置か調節位置かによって前記アーモンド形窓（Ｖ）内に形成された歯状部（１０１）と係合または分離する歯付き歯止め（１）を有する、ペンチにおいて、
イ）前記雌アーム（２０）は隆起（Ｐ）を含み、前記隆起（Ｐ）内に形成された側箱形開口（６）が第二開口(Ｏ２）に沿って伸長し、側箱形開口（６）は箱形内開口（５１）を有するプッシャ（５）を収容し、かつ前記プッシャ（５）と前記雌アーム（２０）間で作用するバネ（４）が前記箱形内開口内に設置され、
ロ）前記蝶番ピン（２）は側箱形開口（６）の領域で前記プッシャ（５）にネジ止めされ、歯付き歯止め（１）が前記蝶番ピン（２）と前記プッシャ間に同軸に設置されて機械的に連結され、
ハ）前記プッシャ（５）は前記歯付き歯止め（１）と前記蝶番ピン（２）とを機械的に連結するプッシュ手段（５２）を有し、前記蝶番ピン（２）は作業位置で第二開口（Ｏ２）の壁上に設置される、ことを特徴とするペンチ。
【請求項２】
前記プッシュ手段は前記プッシャ（５）から突出する延長部（５２）である、請求項１のペンチ。
【請求項３】
第一開口（Ｏ１）の直径（φ１）は第二開口（Ｏ２）の直径（φ２）よりも大きく、φ１＞φ２である、請求項１のペンチ。
【請求項４】
第一開口（Ｏ１）は、前記蝶番ピン（２）の頭部（Ｃ２）が前記雌アーム（２０）の側部に対して起立しないように、作業位置において前記蝶番ピン（２）から突出した突起（２２）が当接する座（２０１）を形成する、請求項１または３のペンチ。
【請求項５】
前記歯付き歯止め（１）、および少なくとも前記プッシャ（５）の延長部（５２）は耐磨耗材料により形成されている、請求項１のペンチ。
【発明の詳細な説明】
【技術分野】
【０００１】
本発明は、例えば鉛管工事（plumbing)に使用するタイプのペンチに関する。
【背景技術】
【０００２】
このタイプのペンチは、当分野で既知である。関節結合式ボルトにより共に連結された二つのアームで構成され、かつ二つのアームのうちの一方が他方のアームのアーモンド形窓内で順次に調節されてペンチの顎部の寸法を変える、調節可能ペンチも既に知られている。
【０００３】
ペンチの顎部の寸法を変更する必要性に基づいて、信頼性が高く、確実であり取り扱い容易な機構を有する幾つかのペンチが開発され、これらは作業位置（ペンチの顎部がコンスタントに分離維持されると共にアーム／顎部が相互に対して回転して開放／閉鎖する）から調節位置（一方のアームがアーモンド形窓内で他方に対して直線方向へ移動する）への迅速移動を可能にする。例えば、本出願人によるスペイン特許Ｐ２００５０１３１２はこのタイプのペンチを開示する。
【０００４】
【特許文献１】スペイン特許Ｐ２００５０１３１２
【発明の開示】
【発明が解決しようとする課題】
【０００５】
本発明の課題は、スペイン特許Ｐ２００５０１３１２において歯止めとプッシャ間に挿入されるブッシングを排斥して、更に単純化した構造を提供することにあり、プッシャとブッシングは、その両機能を実行する単一ブロック片として提供される。
【課題を解決するための手段】
【０００６】
上記課題を達成するための本発明によるペンチは、蝶番ピンにより共に連結された二つのアームである、雄アームおよび雌アームを含み、前記雌アームが前記雄アームのアーモンド形窓内に漸次的に調節されてペンチの顎部の寸法を変え、前記雌アーム内に第一開口および第二開口が同軸に形成され、前記蝶番ピンが第一および第二開口に取付けられ、かつ作業位置か調節位置かによって前記アーモンド形窓内に形成された歯状部と係合または分離する歯付き歯止めを有する、ペンチにおいて、
イ）前記雌アームは隆起を含み、前記隆起内に形成された側箱形開口が第二開口に沿って伸長し、前記側箱形開口は箱形内開口を有するプッシャを収容し、かつ前記プッシャと前記雌アーム間で作用するバネが前記箱形内開口内に設置され、
ロ）前記蝶番ピンは側箱形開口の領域で前記プッシャにネジ止めされ、歯付き歯止めが前記蝶番ピンと前記プッシャ間に同軸に設置されて機械的に連結され、
ハ）前記プッシャは前記歯付き歯止めと前記蝶番ピンとを機械的に連結するプッシュ手段を有し、前記蝶番ピンは作業位置で第二開口の壁上に設置される、ことを特徴とする。
【０００７】
好適形態によれば、前記プッシュ手段は前記プッシャから突出する延長部である。
【０００８】
好適形態によれば、第一開口の直径は第二開口の直径よりも大きく、φ１＞φ２である。
【０００９】
好適形態によれば、第一開口は、前記蝶番ピンの頭部が前記雌アームの側部に対して起立しないように、作業位置において前記蝶番ピンから突出した突起が当接する座を形成する。
【００１０】
好適形態によれば、前記歯付き歯止め、および少なくとも前記プッシャの延長部は耐磨耗材料により形成されている。
【発明の効果】
【００１１】
ブッシングを除去し単一ブロック部品（プッシャ＋ブッシング）を挿入する利点は次の通りである。
イ）ペンチの部品点数が減少する。
ロ）介在する構成要素の減少により係止システムのより良い整合が可能になる。
ハ）多くの構成要素を整合させる必要がないことにより適合要求は減少する。
ニ）作業が円滑になる。
ホ）動かなくなる危険を減少する。
ヘ）ハウジング内にブッシングを位置決めし保持する必要をなくすことにより組立を容易にする。
【発明を実施するための最良の形態】
【００１２】
本発明の課題の理解をより良くするために、好適実施形態を図面を参照して説明する。
【００１３】
本発明の非制限的実施形態例を次に説明する。
本発明の客体は、二つのアームで形成されるタイプのペンチに関し、二つのアームの一方は雄アーム（１０）であり、他方は雌アーム（２０）であり、それぞれが顎クランプを担持する。雄アーム（１０）および雌アーム（２０）は蝶番ピン（２）により共に結合され、蝶番ピン（２）は雌アーム（２０）の回転軸を形成し、雄アーム（１０）のアーモンド形窓（Ｖ）内で複数かつ漸次位置を形成してペンチの顎部の寸法を変化させる。
【００１４】
一般的に知られているように、雌アーム（２０）は複数の同軸開口を形成し、蝶番ピン（２）はその第一開口（Ｏ１）および第二開口（Ｏ２）に取付けられ、かつ雄アーム（１０）のアーモンド形窓（Ｖ）内に形成された歯状部（１０１）と係合する係合可能な歯付き歯止め（１）を有する。
【００１５】
図２から４を参照すると、雌アーム（２０）は側隆起（Ｐ）を担持し、側隆起（Ｐ）上に側箱形開口（６）が雌アーム（２０）の二つの開口（Ｏ１）、（Ｏ２）と同軸に形成されている。
【００１６】
蝶番ピン（２）は、一端に、周辺突起（２２）および内座（２１）を有するヘッドピース（Ｃ２）を形成し、かつ他端にねじ切り領域（２３）を形成している。突起（２２）、内座（２１）およびねじ切り領域（２３）は、好適には、継続的に小さくなる直径を有する。突起（２２）は内座（２１）よりも大きい直径を有する。突起（２２）および内座（２１）は蝶番ピン（２）の中央領域よりも大きく、突起（２２）、内座（２１）および蝶番ピン（２）の中央領域部は、他端のねじ切り領域（２３）よりも大きい。ただしこの幾何学形態は、制限的でなく変更可能であり、本発明の必須条件を変更するものでない。
【００１７】
歯付き歯止め（１）は、内座（２１）により側が制限された蝶番ピン（２）の中央領域内に設置される。この歯付き歯止め（１）は幾つかの外歯（１１）を形成し、外歯（１１）は、雄アーム（１０）のアーモンド形窓（Ｖ）内に予見できる共役歯（１０１）と係合可能である。
【００１８】
蝶番ピン（２）の端領域（２３）にねじ切りプッシャ（５）がある。プッシャ５は、箱形内開口（５１）と内側に開口（５０）を有する延長部（５２）を同軸に形成し、かつ延長部（５２）は図３および４に示されたように箱形内開口（５１）が形成されたヘッドピース（Ｃ５）を越えて突出している。
【００１９】
ベースがねじ切りされた延長部の内側の開口（５０）は蝶番ピン（２）のねじ切り領域（２３）へのネジ止めを可能にし、プッシャ（５）の延長部（５２）はネジ止めされないで蝶番ピン（２）の中央領域を伴い、歯付き歯止め（１）により側部で制限され、機械的に連結される。
【００２０】
特に、歯付き歯止め（１）および少なくともプッシャ（５）の延長部（５２）は、耐磨耗材料により形成される。
【００２１】
プッシャ（５）と雌アーム（２０）間に作用する内ばね（４）が設けられ、ばね（４）は、それぞれの箱形開口（６）および（５１）内に同軸に収容され、ベースに対して作用し、雌アーム（２０）からプッシャ（５）を分離することを目的とし、結果として、歯付き歯止め（１）が雄アーム（１０）のアーモンド形窓（Ｖ）内に予見される共役歯（１０１）との係合を維持する先端位置に蝶番ピン（２）を維持することを目的とする。
【００２２】
雌アーム（２）の開口（Ｏ１）および（Ｏ２）は、異なる直径を有し、蝶番ピン（２）の座領域（２１）からプッシャ（５）の延長部に形成されている。特に、第一開口（Ｏ１）の直径は、第二開口（Ｏ２）の直径よりも大きい。
【００２３】
上述の構造および組立により、プッシャ（５）上への手による簡単な圧力がばね（４）を圧縮しかつ蝶番ピン（２）を、蝶番ピン（２）上に取付けられた歯付き歯止め（１）と一緒に移動させ、歯付き歯止め（１）の歯（１１）を雄アーム（１０）の歯から離脱させる。圧力がプッシャ（５）上に維持される限り、プッシャの延長部（５２）は雄アームの歯状部（１０１）と反対側に維持され、かつ延長部（５２）は蝶番ピン（２）および雌アーム（２０）と共にアーモンド形窓（Ｖ）内を自由に移動してペンチの顎部の寸法を変化させる。
【図面の簡単な説明】
【００２４】
【図１】実施形態の非制限例を示す本発明による幾つかのペンチの全体的立面図である。
【図２】取付け準備された歯付き歯止め（１）、ばね（４）、およびプッシャ（５）等の残余構成要素を備えた調節シャフト（２）の全体的斜視図である。
【図３】調節位置における図２を実施するための図１のＡ−Ａ線に沿った全体的拡大断面図を示す。
【図４】作業位置における図２を実施するための図１のＡ−Ａ線に沿った全体的拡大断面図を示す。
【図１】
2009532219.tif 000003
【図２】
2009532219.tif 000004
【図３】
2009532219.tif 000005
【図４】
2009532219.tif 000006
【手続補正書】
【提出日】平成19年3月20日(2007.3.20)
【手続補正１】
【補正対象書類名】特許請求の範囲
【補正対象項目名】全文
【補正方法】変更
【補正の内容】
【特許請求の範囲】
【請求項１】
蝶番ピン（２）により共に連結された二つのアームである、雄アーム（１０）および雌アーム（２０）を含み、前記雌アーム（２０）が前記雄アーム（１０）のアーモンド形窓（Ｖ）内に漸次的に調節されてペンチの顎部の寸法を変え、前記雌アーム（２０）内に第一開口（Ｏ1）および第二開口（Ｏ2）が同軸に形成され、蝶番ピン（２）が第一および第二開口に取付けられ、かつ作業位置か調節位置かによって前記アーモンド形窓（Ｖ）内に形成された歯状部（１０１）と係合または分離する歯付き歯止め（１）を有する、ペンチにおいて、
イ）前記雌アーム（２０）は隆起（Ｐ）を含み、前記隆起（Ｐ）内に形成された側箱形開口（６）が第二開口(Ｏ2）に沿って伸長し、側箱形開口（６）は箱形内開口（５１）を有するプッシャ（５）を収容し、かつ前記プッシャ（５）と前記雌アーム（２０）間で作用するバネ（４）が前記箱形内開口内に設置され、
ロ）第一開口（Ｏ1）は、作業位置において前記蝶番ピン（２）から突出した突起（２２）が当接する座（２０１）を形成する、ことを特徴とするペンチ。
【国際調査報告】
2009532219.tif 000007
2009532219.tif 000008
2009532219.tif 000009
2009532219.tif 000010